(57)【要約】【課題】  インターネット等の広域通信網を利用して、施設の温度等を遠隔管理するシステムにおいて、新たなＩＰアドレスを短時間で取得し、かつ低いコストで運用する。【解決手段】  センサーサーバ１３は、タイマー１３ａから入力するトリガ信号により所定の時間において再起動される。このときＤＨＣＰ機能に基づいてＩＳＰ３１と交信することにより新規のＩＰアドレスを取得する。これにより、固定アドレスを使用するより低いコストで運用することができる。【選択図】  図１
2006040031.tif 000002
【特許請求の範囲】
【請求項１】
第一の場所に、施設内等の温度等の物理量を測定して前記物理量に対応する物理量信号を発生する物理量測定手段と、この物理量信号を処理して、伝送に適する測定信号を発生する測定信号処理手段と、前記物理量を調整する物理量調整手段を、前記第一の場所から離れた第二の場所には前記物理量を管理するための端末装置を、前記第一の場所と前記第二の場所の間には前記測定信号を含む所要の信号を有線又は無線で伝送する信号伝達手段を、それぞれ具え、前記信号伝達手段は前記測定信号を含む所要の信号を前記測定信号処理手段から前記端末装置へ伝送し、前記端末装置はメモリを具え、このメモリは、前記伝送された前記測定信号が所定の範囲から外れたとき、所定の範囲に復帰させるために必要な処置を命令するプログラムを記憶し、前記伝送された前記測定信号が前記所定の範囲から外れたとき、前記端末装置は前記プログラムに基づいて前記必要な処置を命令する命令信号を発生し、前記信号伝達手段が前記命令信号を前記端末装置から前記第一の場所の前記物理量調整手段へ伝送し、前記物理量調整手段が前記伝送された前記命令信号に基づき前記物理量を調整することにより、前記第一の場所の前記物理量を前記第二の場所から管理する物理量遠隔管理システムにおいて、
前記測定信号処理手段は、前記信号伝達手段を介して所定の前記端末装置に選択的かつ排他的に接続されるようにするためのＩＰアドレスをＤＨＣＰ／ＩＰプロトコルにより発生するプロトコル変換機能を有し、
前記測定信号処理手段には、前記プロトコル変換機能を作動させるための識別信号を入力することができ、
前記プロトコル変換機能は前記識別信号の前記入力があったとき開始され、その都度設定されるＩＰアドレスが発生し、このＩＰアドレスに基づき前記信号伝達手段を介して前記測定信号処理手段から所定の前記端末装置への接続が行なわれることを特徴とする、物理量遠隔管理システム。
【請求項２】
前記接続は、前記命令信号が発生し、前記命令信号が前記端末装置から前記物理量調整手段へ伝送されるまで維持される、請求項１記載の物理量遠隔管理システム。
【請求項３】
前記端末装置は、前記接続に用いられた前記ＩＰアドレスを認識することができ、前記端末装置が具える前記メモリは、この認識された前記ＩＰアドレスを記憶することができる、請求項１記載の物理量遠隔管理システム。
【請求項４】
前記識別信号が、所定の時刻又は一定の時間ごとに発生する、請求項１又は２記載の物理量遠隔管理システム。
【請求項５】
前記識別信号が、前記測定信号処理手段の再起動に対応して発生する、請求項１又は２記載の物理量遠隔管理システム。
【請求項６】
前記測定信号処理手段は、前記物理量信号が正常の範囲を外れたことを検出して、異常信号を発生する異常検出手段を含み、
前記異常信号の発生に応じて前記識別信号が発生する、請求項１又は２記載の物理量遠隔管理システム。
【請求項７】
前記正常の範囲は、所定の範囲である、請求項６記載の物理量遠隔管理システム。
【請求項８】
前記物理量が温度である、請求項１ないし７記載の物理量遠隔管理システム。
【請求項９】
前記ＩＰアドレスが、ＩＰｖ４に適合するアドレスである、請求項１又は２記載の物理量遠隔管理システム。
【請求項１０】
前記測定信号処理手段が、前記端末装置から前記信号伝達手段を介して伝送される前記命令信号を処理して、前記物理量調整手段へ出力することができる、請求項１又は２記載の物理量遠隔管理システム。
【請求項１１】
第一の場所に、施設内等の温度等の物理量を測定して前記物理量に対応する物理量信号を発生する測定手段と、この物理量信号を処理して、伝送に適する測定信号を発生する測定信号処理手段と、前記物理量を調整する物理量調整手段と、前記物理量信号が所定の範囲から外れたとき、所定の範囲に復帰させるために必要な処置を命令する命令信号に対して、前記物理量調整手段に入力するため必要な処理を行なう命令信号処理手段を、
前記第一の場所から離れた第二の場所には前記物理量を管理するための端末装置を、
前記第一の場所と前記第二の場所の間には前記測定信号を含む所要の信号を有線又は無線で伝送する信号伝達手段を、それぞれ具え、
前記端末装置は、前記物理量信号が前記所定の範囲から外れたとき、それを前記所定の範囲に復帰させるために必要な処置を命令するプログラムを記憶することができるメモリを具え、
前記測定信号処理手段は、前記信号伝達手段を介して所定の前記端末装置に選択的かつ排他的に接続されるようにするためのＩＰアドレスをＤＨＣＰ／ＩＰプロトコルにより発生するプロトコル変換機能を有し、
前記物理量信号が所定の範囲から外れたとき、前記プロトコル変換機能を作動させるための識別信号が発生し、
前記プロトコル変換機能は前記識別信号に応じて開始され、その都度設定される前記ＩＰアドレスを発生し、このＩＰアドレスに基づき前記信号伝達手段を介して前記測定信号処理手段から所定の前記端末装置への接続が行なわれ、
前記信号伝達手段は、前記測定信号を含む所要の信号を前記測定信号処理手段から、前記接続された前記端末装置へ伝送し、
前記所要の信号が伝送されたとき、前記端末装置は前記メモリに記憶された前記プログラムに基づいて前記必要な処置を命令する命令信号を発生し、
前記信号伝達手段は、前記命令信号を前記端末装置から前記第一の場所の前記命令信号処理手段へ伝送し、
前記命令信号処理手段が、前記命令信号に前記必要な処理を行ない、
この処理された前記命令信号を、前記物理量調整手段に入力し、
前記物理量調整手段が前記物理量を調整することにより、前記第一の場所の前記物理量を前記第二の場所から管理することを特徴とする、物理量遠隔管理システム。
【請求項１２】
前記端末装置は、前記接続に用いられた前記ＩＰアドレスを認識することができ、この端末装置が具える前記メモリは、この認識された前記ＩＰアドレスを記憶することができる、請求項１０記載の物理量遠隔管理システム。
【発明の詳細な説明】
【技術分野】
【０００１】
本発明は、物理量遠隔管理システムに関し、特に、温度や湿度等の物理量を確実に管理する必要がある施設の、それらの物理量を遠隔の場所から通信網を利用して低コストで管理することができる物理量遠隔管理システムに関する。
【背景技術】
【０００２】
第一の場所にある施設等の温度等の物理量を、そこから離れた第二の場所から管理する物理量遠隔管理システムは、以前から開発されている（例えば、特許文献１参照。）。特許文献１に記載された物理量遠隔管理システムは、第一の場所にある施設等の中の温度等の物理量をセンサーで測定して、物理量に対応する測定信号を発生し、第一の場所から離れた第二の場所に、第一の場所の施設等の物理量を管理するための端末装置を設け、信号伝達手段を介して物理量の測定信号を第一の場所から第二の場所へ伝送し、伝送された測定信号が異常なとき、正常の範囲に復帰させるために必要な処置を命令するプログラムを、端末装置が具えるメモリに記憶しておき、このプログラムに基づいて端末装置から、復帰に必要な処置を命令する命令信号を発生させ、それを端末装置から第一の場所に設けた物理量調整手段へ伝送し、物理量調整手段が物理量を調整することにより、第一の場所の温度等の物理量を第二の場所から管理するシステムである。
【０００３】
図１０は、特許文献１に記載された従来の物理量遠隔管理システムを示す。作業室７１には複数の温度センサー７３と温度調節装置７４が、作業室７１とは別棟にあるサーバ室７２には、温度センサー７３に接続されたセンサーサーバ７５と、それを広域通信網７７に接続するためのインターフェース７６が、設けられている。温度調節装置７４は、図示しないヒーターに接続されたヒーター電力選択回路７４ａを有する。センサーサーバ７５は、通常のように、中央演算装置、制御部、メモリ、入出力部、電源部を具える。
【０００４】
管理センター８１は、作業室７１の遠隔温度管理を行なうための施設で、広域通信網７７に接続されたインターフェース８２と、それに接続された管理端末８３およびデータベースサーバ８４が設けられている。管理端末８３はキーボード８３ａを具え、センサーサーバ７５の演算処理プログラムを設定又は変更する命令を入力できる。
【０００５】
広域通信網７７は、例えば、インターネットやＦＴＰである。広域通信網７７とインターフェース７６との間にＩＳＰ（プロバイダ）７７ａ、インターフェース８２との間にはＩＳＰ（プロバイダ）７７ｂが介在し、アドレスその他ネットワーク上の情報を管理する。センサーサーバ７５は、例えば、ＪＡＶＡ（登録商標），ＡＰＰ，ＪＡＶＡＶＭのようなアプリケーション・プログラムを内蔵することができる。
【０００６】
図１１は管理端末８３の構成を示す。管理端末８３は中央演算装置９１、制御部９２、メモリ９３、表示部９４、入出力部９５、電源部９６を具える。入出力部９５は前述のキーボード８３ａを含む。入出力部９５の出力端子の一つは、インターフェース８２、広域通信網７７、インターフェース７６、センサーサーバ７５を介して、温度調節装置７４に接続されている（図１０参照）。
【０００７】
図１２はメモリ９３の構成を示す。メモリ９３はデータ記憶部９３Ａとプログラム記憶部９３Ｂを具え、プログラム記憶部９３Ｂは、所定期間内の温度の平均値の上限と下限の設定値をそれぞれ記憶する上限記憶部９３Ｕと下限記憶部９３Ｌ、温度変動（又はその累積値）の上限設定値を記憶する変動限度記憶部９３Ｖを含む。これらの設定値はキーボード８３ａから入力することができる。
【０００８】
図１０に示した物理量遠隔管理システムの動作を簡単に説明する。第一の場所である作業室７１の中の温度（物理量）を温度センサー７３で測定して、温度に対応する測定信号を発生する。温度センサー７３に接続されたセンサーサーバ７５は、インターフェース７６および広域通信網７７を介して測定信号を、管理センター８１（第二の場所）に設けた管理端末８３に伝送する。管理端末８３はメモリ９３を具え、メモリ９３のプログラム記憶部９３Ｂには、伝送された温度信号が温度平均値の上限と下限の範囲を外れたとき、正常の範囲に復帰させるために必要な処置を命令するプログラムが記憶されている。伝送された温度信号が、プログラム記憶部９３Ｂに記憶された温度平均値の上限と下限の、設定値の範囲を外れると、前述のプログラムに基づき、復帰に必要な処置を命令する命令信号が管理端末８３から発生する。この命令信号は管理端末８３からインターフェース８２、広域通信網７７、インターフェース７６、センサーサーバ７５を介して、作業室７１（第一の場所）に設けた温度調節装置７４（物理量調整手段）へ伝送される。温度調節装置７４は、ヒーター電力選択回路７４ａにより作業室７１の中の温度を調整する。
【０００９】
センサーサーバ７５から広域通信網７７を介して測定信号を管理端末８３に伝送するためには、広域通信網７７上で特定のセンサーサーバ７５を特定の管理端末８３に接続しなければならない。そのためには、広域通信網７７上で特定の管理端末８３の固有の回線を識別するためのＩＰアドレスを、センサーサーバ７５から信号として通信網に送り出し、この信号が広域通信網７７の有するサーバにより認識される必要がある。ＩＰアドレスとして、あらかじめ設定されたアドレスがセンサーサーバ７５の中のメモリに記憶されており、中央演算装置と入出力部によりインターフェース７６を経て広域通信網７７に送り出される。
【００１０】
現在インターネットではＩＰアドレスとして、１０進法表示で８桁の数字により設定されるＩＰｖ４(version4)が用いられている。８桁は、それぞれ３桁、３桁、１桁、１桁の４個のセクションに分けられ、もちろん３２ビットの２進コードで運用される。
【００１１】
割り当て可能のＩＰアドレスは４３億個であるが、そのうち約４／５がすでに使用済で、残った使用可能のアドレス数（２００２年当時）は８億程度にすぎない。この残りのアドレスの一部は実験用等の目的に保留する必要があり、アドレスの不足のおそれが現実のものとなりつつある。ＩＰｖ４の不足に対処するために、１２８ビット（１６進法で８桁）のＩＰｖ６が開発され、標準化が進められている。
【特許文献１】特開２００３−２１７０６８号（図１）
【発明の開示】
【発明が解決しようとする課題】
【００１２】
しかし、ＩＰｖ６への移行については、通信網に関係する端末の全てが切り替わらないと、実用は極めて狭い範囲に局限される。従って、当面はＩＰｖ４を効率的に運用するほかない。
【００１３】
ＩＰｖ４のアドレスの残りが少ないため、固定されたＩＰアドレスの新たな設定には時間を要するだけでなく、登録の手続や維持に費用がかかり、コスト高を招く。
【００１４】
従って、本発明の目的は、施設内等の温度等の物理量を遠隔管理するための、低いコストで運用することができる物理量遠隔管理システムを、実現することにある。
【００１５】
また、本発明の目的は、新たなＩＰアドレスの登録に要する時間を解消し、短時間で実用を開始できる物理量遠隔管理システムを、実現することにある。
【課題を解決するための手段】
【００１６】
上記目的を達成するため、本発明の物理量遠隔管理システムは、第一の場所に、施設内等の温度等の物理量を測定して物理量に対応する物理量信号を発生する物理量測定手段と、この物理量信号を処理して、伝送に適する測定信号を発生する測定信号処理手段と、物理量を調整する物理量調整手段を、第一の場所から離れた第二の場所には物理量を管理するための端末装置を、第一の場所と第二の場所の間には測定信号を含む所要の信号を有線又は無線で伝送する信号伝達手段を、それぞれ具え、信号伝達手段は測定信号を含む所要の信号を測定信号処理手段から端末装置へ伝送し、端末装置はメモリを具え、このメモリは、伝送された測定信号が所定の範囲から外れたとき、所定の範囲に復帰させるために必要な処置を命令するプログラムを記憶し、伝送された測定信号が所定の範囲から外れたとき、端末装置はこのプログラムに基づいて必要な処置を命令する命令信号を発生し、信号伝達手段がこの命令信号を端末装置から第一の場所の物理量調整手段へ伝送し、物理量調整手段がこの伝送された命令信号に基づき物理量を調整することにより、第一の場所の物理量を第二の場所から管理する物理量遠隔管理システムにおいて、測定信号処理手段は、信号伝達手段を介して所定の端末装置に選択的かつ排他的に接続されるようにするためのＩＰアドレスを、ＤＨＣＰ／ＩＰプロトコルにより発生するプロトコル変換機能を有し、測定信号処理手段にはプロトコル変換機能を作動させるための識別信号を入力することができ、プロトコル変換機能はこの識別信号の入力があったとき開始され、その都度設定されるＩＰアドレスを発生し、このＩＰアドレスに基づき信号伝達手段を介して測定信号処理手段から所定の端末装置への接続が行なわれることを特徴とする。
【００１７】
上記目的を達成するため、本発明の別の物理量遠隔管理システムは、第一の場所に、施設内等の温度等の物理量を測定して物理量に対応する物理量信号を発生する測定手段と、この物理量信号を処理して、伝送に適する測定信号を発生する測定信号処理手段と、物理量を調整する物理量調整手段と、物理量信号が所定の範囲から外れたとき、所定の範囲に復帰させるために必要な処置を命令する命令信号に対して、物理量調整手段に入力するため必要な処理を行なう命令信号処理手段を、第一の場所から離れた第二の場所には物理量を管理するための端末装置を、第一の場所と第二の場所の間には測定信号を含む所要の信号を有線又は無線で伝送する信号伝達手段を、それぞれ具え、端末装置は、物理量信号が所定の範囲から外れたとき、それを所定の範囲に復帰させるために必要な処置を命令するプログラムを記憶することができるメモリを具え、測定信号処理手段は、信号伝達手段を介して所定の端末装置に選択的かつ排他的に接続されるようにするためのＩＰアドレスをＤＨＣＰ／ＩＰプロトコルにより発生するプロトコル変換機能を有し、物理量信号が所定の範囲から外れたとき、プロトコル変換機能を作動させるための識別信号が発生し、プロトコル変換機能は識別信号に応じて開始され、その都度設定されるＩＰアドレスを発生し、このＩＰアドレスに基づき信号伝達手段を介して測定信号処理手段から所定の端末装置への接続が行なわれ、信号伝達手段は、測定信号を含む所要の信号を測定信号処理手段から、この接続された端末装置へ伝送し、所要の信号が伝送されたとき、端末装置はメモリに記憶されたプログラムに基づいて必要な処置を命令する命令信号を発生し、信号伝達手段は命令信号を端末装置から第一の場所の命令信号処理手段へ伝送し、命令信号処理手段が命令信号に必要な処理を行ない、この処理された命令信号を物理量調整手段に入力し、物理量調整手段が物理量を調整することにより、第一の場所の物理量を第二の場所から管理することを特徴とする。
【００１８】
本発明は、ＩＰｖ４に属するＩＰアドレスを用いるとき、有用である。
【００１９】
ＤＨＣＰとはDynamic Host Configuration Protocol  の略語で、ネットワーク内のコンピュータ等の端末に対して、ＩＰアドレスその他のネットワーク情報を自動的に設定するためのプロトコルを意味する。一つのネットワーク上の端末のＩＰ情報は、アドレスの重複等の不都合がないように管理する必要があり、ＤＨＣＰを利用するネットワークはＤＨＣＰサーバを具え、これにより端末のＩＰ情報の管理を行なう。ＩＰアドレスはＤＨＣＰサーバにより自動的に設定され、重複が防止される。
【００２０】
ＤＨＣＰ／ＩＰプロトコルとは、ＤＨＣＰとＩＰの各プロトコルを組み合わせた複合プロトコルで、これに従ってＩＰアドレスがネットワークのＤＨＣＰサーバにより自動的に設定される。
【００２１】
本発明のシステムで用いる測定信号処理手段は、業界で一般にセンサーサーバと呼ばれるものに相当し、測定信号を処理するとともに、ＤＨＣＰ／ＩＰプロトコルによりＩＰアドレスを自動的に発生する機能（以下、ＤＨＣＰ機能と言う）を有するプロトコル変換器としての機能を有する。センサーサーバは、例えば、ＪＡＶＡ，ＡＰＰ，ＪＡＶＡＶＭのようなアプリケーション・プログラムを内蔵することができる。測定信号処理手段は、測定信号の処理およびプロトコル変換のほか、端末装置から信号伝達手段を介して伝送される命令信号に所要の処理を行い、物理量調整手段へ入力させる機能を有してもよい。
【００２２】
ＤＨＣＰ機能を作動させるための識別信号（トリガー信号）としては、センサーを一旦オフした後再度起動させる（オン）信号を利用することができる。このような再起動は、例えば、タイマーによって定期的に行なうことができる。トリガー信号は、第二の場所の管理センター等からインターネット等の広域通信網を介してセンサーサーバに送られてもよい。
【００２３】
測定された物理量が所定の範囲を外れたとき、トリガー信号が発生するようにしてもよい。この場合、測定信号処理手段は、物理量信号が正常の範囲を外れたことを検出して、異常信号を発生する異常検出手段を具える必要がある。異常検出手段からこの異常信号が発生したとき、測定信号処理手段からトリガー信号が発生する。
【００２４】
トリガー信号によりＤＨＣＰ機能が作動すると、測定信号処理手段（センサーサーバ）と信号伝達手段の間の交信によりその都度ＩＰアドレスが設定され、このＩＰアドレスにより信号伝達手段を介して、第一の場所の測定信号処理手段が第二の場所の端末装置に接続される。このアドレスを、測定信号処理手段が具えるメモリに記憶しておくようにしてもよい。記憶されたアドレスは、新しいアドレスが設定されると、自動的に更新される。
【００２５】
端末装置が、測定信号処理手段と端末装置との接続に用いられたＩＰアドレスを認識し、認識されたＩＰアドレスを、端末装置が具えるメモリに記憶するようにしてもよい。記憶されたアドレスは、次に新しいアドレスが設定されたことを端末装置が認識すると、更新される。
【００２６】
施設等の管理のために測定される物理量は、例えば、施設内での発熱により変動する温度や、蒸発量に対応して変動する湿度である。その他、帯電量、ｐＨ、ガス濃度、圧力等でもよい。
【００２７】
物理量調整手段は、端末装置から信号伝達手段を介して伝送された命令信号に応じて、物理量を調整する。例えば、温度を調整する温度調整手段は、容量の異なる電熱ヒーターと、命令信号により電熱ヒーターを選択する電熱ヒーター選択回路との組合せで構成することができる。湿度を調整する湿度調整手段は、加湿のため噴霧する水の量を制御する電磁弁と、電磁弁の開閉時間を変化させる時間制御回路との組合せ、あるいは、水蒸気の凝縮のための冷却コイルで、構成することができる。
【発明の効果】
【００２８】
従来多用されたＴＣＰ／ＩＰによるアドレス設定では、急に新たなＩＰアドレスを設定する必要が生じた場合、ＩＳＰ（プロバイダ）を通じて設定を要求してからアドレスの設定までに時間を要し、また設定されたアドレスを継続して利用するには比較的高い維持費用を要したのに対し、本発明の物理量遠隔管理システムは、測定信号処理手段（通常、センサーサーバ）が有するＤＨＣＰ機能により新たなＩＰアドレスを極めて短い時間で設定できる。また、通信経費に関しＴＣＰ／ＩＰによる固定アドレスよりも低いコストで運用することができる。
【発明を実施するための最良の形態】
【００２９】
［第１の実施の形態］
（第１の実施の形態の構成）
図１は、本発明の第１の実施の形態に係る物理量遠隔管理システムを示す。管理システム１０は、野菜栽培室１、サーバ室１ａ、栽培管理センター２、それらが接続できるインターネット通信システム３に跨がって、設置されている。野菜栽培室１には適当な位置に複数の温度センサー１１と複数の湿度センサー１２、温度調整回路１５、湿度調整回路１６、電熱ヒーター１７、湿度調整器１８が、隣接するサーバ室１ａには、各センサーに接続されたセンサーサーバ１３と、インターフェース１４が設置されている。センサーサーバ１３はＤＨＣＰ機能を有する。栽培管理センター２には、管理用のコンピュータ２１、インターフェース２２、データベースサーバ２３が設置されている。インターネット通信システム３は、インターフェース１４を介してセンサーサーバ１３に接続されたＩＳＰ（プロバイダ）３１と、インターフェース２２を介してコンピュータ２１に接続されたＩＳＰ（プロバイダ）３３と、インターネット通信網３２と、公衆電話局３４で構成される。ＩＳＰ３１、ＩＳＰ３３、公衆電話局３４は、それぞれインターネット通信網３２に接続され、公衆電話局３４はアンテナ３５を有し、管理者が携帯する携帯電話３６と無線通信可能である。センサーサーバ１３はタイマー１３ａを具え、タイマー１３ａから出力されるトリガ信号に基づいて再起動される。電熱ヒーター１７は温度調整回路１５に、湿度調整器１８は湿度調整回路１６に、それぞれ接続されている。
【００３０】
センサーサーバ１３は、温度センサー１１や湿度センサー１２から取得した物理量情報を累積的に記憶するとともに、記憶された物理量情報に対して予め登録されたユーザーがアクセスできるように構成されている。登録ユーザーは、図示しないメモリに格納される。物理量情報は、例えば、ＷＥＢ(World Wide Web)ページで閲覧可能に構成されて前述のメモリに格納されており、登録ユーザーの端末装置（コンピュータ等）からＩＰアドレスに基づくＵＲＬ(Uniform Resource Locator)にアクセスすることによって閲覧することができる。
【００３１】
また、センサーサーバ１３は、ＤＨＣＰ機能に基づいて更新されたＩＰアドレスを電子メールで管理者等の電子メールアドレスに送信する電子メール送信機能を有する。
【００３２】
図２は管理用のコンピュータ２１の構成を示す。コンピュータ２１は、中央演算装置４１、制御部４２、メモリ４３、表示部４４、入出力部４５、電源部４６から成る。入出力部４５はキーボード４５ｃを有する。入出力部４５の信号線４５ａおよび４５ｂはインターフェース２２に接続されている。
【００３３】
また、コンピュータ２１は、センササーバ１３から電子メールで送信された、センサーサーバ１３の更新されたＩＰアドレスに対してアクセスできるように構成されている。
【００３４】
図３はメモリ４３の構成を示す。メモリ４３は、データ記録部５１とプログラム記憶部５２から成る。プログラム記憶部５２は、所定期間内の温度および湿度の各平均値の上限及び下限の設定値をそれぞれ記憶する上限記憶部５２Ｕ及び下限記憶部５２Ｌと、温度および湿度の変動の累積値の上限を記憶する変動限度記憶部５２Ｖを含む。これらの設定値はキーボード４５ｃから入力することができる。
【００３５】
図４は湿度調整器１８の構成を示す。湿度調整器１８は、噴霧式の加湿器１８ａと、凝縮コイルをもつ除湿器１８ｂから成る。
【００３６】
（第１の実施の形態の動作）
以下に、センサーサーバ１３からコンピュータ２１に送信された温度および湿度の情報に基づいて野菜栽培室１の温度を上昇させる動作を説明する。
【００３７】
野菜栽培室１の中の複数の位置で、温度が温度センサー１１により、湿度が湿度センサー１２により、それぞれ測定され、温度及び湿度の信号がセンサーサーバ１３に送られる。
【００３８】
センサーサーバ１３は、タイマー１３ａから入力するトリガ信号により、所定の時間において再起動される。このとき、ＤＨＣＰ機能に基づいてＩＳＰ３１と交信することにより新規のＩＰアドレスを取得する。再起動のタイミングとして、例えば、深夜時間帯の任意の時刻に設定することができる。
【００３９】
センサーサーバ１３は、再起動に基づいて更新された新規のＩＰアドレスでインターフェース１４を介してインターネット通信システム３に接続され、電子メール送信機能に基づいてメモリに記憶されている登録ユーザーの電子メールアドレスに更新されたＩＰアドレスに基づくＵＲＬを送信する。具体的には、メール本文中に新規のＵＲＬが明記された電子メールがコンピュータ２１のユーザーおよび携帯電話３６のユーザー宛に送信される。
【００４０】
また、センサーサーバ１３で処理された温度および湿度の信号は、インターフェース１４、ＩＳＰ３１、インターネット通信網３２、ＩＳＰ３３、インターフェース２２を経て、コンピュータ２１に伝送される。
【００４１】
コンピュータ２１のＣＰＵ４１は、センサーサーバ１３について記憶しているＩＰアドレスを、センサーサーバ１３から電子メールに基づいて通知された新規のＩＰアドレスで更新する。なお、コンピュータ２１に記憶されたセンサーサーバ１３への接続にかかる設定の更新は、オペレータの手操作に基づいて行うようにしても良い。
【００４２】
次に、受信した温度信号および湿度信号を、メモリ４３の上限記憶部５２Ｕ及び下限記憶部５２Ｌに記憶されたそれらの上限および下限と比較し、上限と下限の間の範囲を外れたと判定されたときには、メモリ４３のプログラム記憶部５２に記憶された正常復帰のための命令プログラムに従って、正常復帰のための命令信号がインターフェース２２とインターネット通信システム３を介してセンサーサーバ１３へ送信する。温度信号および湿度信号の変動については、その累積値が変動限度記憶部５２Ｖで変動限度と比較され、同様の過程で正常復帰のための命令信号がセンサーサーバ１３へ送信される。
【００４３】
インターネット通信システム３からインターフェース１４を経てセンサーサーバ１３に受信された正常復帰のための命令信号は、温度調整回路１５又は湿度調整回路１６に入力される。
【００４４】
表１は、正常復帰のための命令プログラムの内容を示す。コンピュータ２１に受信される温度および湿度の信号と、それらとメモリ４３に記憶された温度及び湿度信号の上限および下限との関係、正常復帰のための命令信号による温度調整回路１５および湿度調整回路１６の動作の関係を示す。
【００４５】
【表１】
2006040031.tif 000003
【００４６】
例えば、コンピュータ２１に受信される温度信号がメモリ４３に記憶された下限を下回ったときには、メモリ４３に記憶されたプログラムに従って、昇温の命令信号がインターネット通信システム３を介してセンサーサーバ１３へ送信され、温度調整回路１５が電熱ヒーター１７の作動電力を増加させ、野菜栽培室１の温度を上昇させる。
【００４７】
また、携帯電話３６のユーザーは、センサーサーバ１３から送信された電子メールを受信することによりセンサーサーバ１３でＩＰアドレスが更新されたことを認識する。携帯電話３６のユーザーが野菜栽培室１の監視情報を閲覧したいときは、電子メールの本文に明記されているセンサーサーバ１３の更新されたＩＰアドレスに基づくＵＲＬにアクセスすることにより、携帯電話３６の液晶表示部に監視情報に関するＷＥＢページが表示される。
【００４８】
（第１の実施の形態の効果）
第１の実施の形態に係る物理量遠隔管理システムによると、センサーサーバ１３が有するＤＨＣＰ機能により、一定時間ごとにインターネット通信システム３から新たなＩＰアドレスを取得して、容易に設定することができ、また通信経費に関して、固定アドレスを使用するより低いコストで運用することができる。
【００４９】
［第２の実施の形態］
第１の実施の形態では、一定時間ごとにセンサーサーバ１３を再起動させるとともに、ＤＨＣＰ機能を作動させ、新たなＩＰアドレスを設定したが、第２の実施の形態では、センサーにより測定される温度および湿度が正常範囲を外れたとき、ＤＨＣＰ機能を作動させ、新たなＩＰアドレスを設定する。
【００５０】
（第２の実施の形態の構成）
図５は、本発明の第２の実施の形態に係る物理量遠隔管理システムを示す。管理システム６０は、第１の実施の形態と同じく、野菜栽培室１と、栽培管理センター２と、インターネット通信システム３に跨がって設置され、野菜栽培室１には複数の温度センサー１１、複数の湿度センサー１２、温度調整回路１５、湿度調整回路１６、電熱ヒーター１７、湿度調整器１８が設置されている。隣接するサーバ室１ａには、ＤＨＣＰ機能を有するセンサーサーバ６１と、インターフェース１４が設置されている。栽培管理センター２には管理用のコンピュータ６２、インターフェース２２、データベースサーバ２３が設置されている。インターネット通信システム３は、第１の実施の形態と同様、インターフェース１４を介してセンサーサーバ６１に接続されたＩＳＰ３１、インターフェース２２を介してコンピュータ６２に接続されたＩＳＰ３３、インターネット通信網３２、および公衆電話局３４で構成される。ＩＳＰ３１、ＩＳＰ３３、公衆電話局３４は、それぞれインターネット通信網３２に接続され、公衆電話局３４はアンテナ３５を有し、携帯電話３６と無線通話可能である。電熱ヒーター１７は温度調整回路１５に、湿度調整器１８は湿度調整回路１６に、それぞれ接続されている。
【００５１】
図６は管理用のコンピュータ６２の構成を示す。コンピュータ６２は、中央演算装置４１、制御部４２、メモリ６３、表示部４４、入出力部４５、電源部４６から成る。入出力部４５はキーボード４５ｃを有する。入出力部４５の信号線４５ａおよび４５ｂはインターフェース２２を介してインターネット通信システム３に接続されている。
【００５２】
図７はメモリ６３の構成を示す。メモリ６３は、データ記録部６３Ａとプログラム記憶部６３Ｂから成る。プログラム記憶部６３Ｂには、温度又は湿度が各々の正常範囲から外れたとき、正常の範囲に復帰するための命令プログラムを記憶することができる。この命令プログラムの変更はキーボード４５ｃから入力することができる。
【００５３】
センサーサーバ６１が有するメモリには、温度センサー１１および湿度センサー１２で測定される温度および湿度の測定値の上限及び下限の設定値をそれぞれ記憶することができる。
【００５４】
図８はセンサーサーバ６１の構成を示す。センサーサーバ６１は中央演算装置６４、制御部６５、メモリ６６、入出力部６７、電源部６８から成る。
【００５５】
図９はメモリ６６の構成を示す。メモリ６６はデータ記録部６６Ａとプログラム記憶部６６Ｂから成り、プログラム記憶部６６Ｂには、温度および湿度の上限および下限の設定値をそれぞれ記憶する上限記憶部６６Ｕおよび下限記憶部６６Ｌを含む。これらの設定値はあらかじめ入出力部６７から入力しておくか、キーボード４５ｃを用いてコンピュータ６２からインターネット通信システム３を介して入力することができる。
【００５６】
（第２の実施の形態の動作）
野菜栽培室１の中の複数の位置で、温度が温度センサー１１により、湿度が湿度センサー１２により、それぞれ測定され、温度及び湿度の信号がセンサーサーバ６１に送られる。センサーサーバ６１ではそれらの信号をメモリ６６に記憶し、中央演算装置６４で平均値、変動、設定された上限および下限との比較を含む温度監視処理が行なわれる。
【００５７】
センサーサーバ６１は、温度及び湿度の信号が上限又は下限を外れたとき、ＤＨＣＰ機能に基づいてＩＳＰ３１と交信することにより新たなＩＰアドレスを取得する。
【００５８】
センサーサーバ１３は、再起動に基づいて更新された新規のＩＰアドレスでインターフェース１４を介してインターネット通信システム３に接続され、電子メール送信機能に基づいてメモリに記憶されている登録ユーザーの電子メールアドレスに更新されたＩＰアドレスに基づくＵＲＬを送信する。具体的には、メール本文中に新規のＵＲＬが明記された電子メールがコンピュータ２１のユーザーおよび携帯電話３６のユーザー宛に送信される。
【００５９】
また、センサーサーバ６１は、温度信号および湿度信号に関する中央演算装置６４での温度監視情報を、更新されたＩＰアドレスに基づいてインターネット通信システム３を介コンピュータ６２に伝送する。
【００６０】
コンピュータ６２は、温度監視情報をメモリ６３のデータ記録部６３Ａに記憶するとともに、プログラム記憶部６３Ｂに記憶された命令プログラムに従って、正常復帰のための命令信号をインターフェース２２およびインターネット通信システム３を介してセンサーサーバ６１へ送信する。
【００６１】
センサーサーバ６１は、インターネット通信システム３からインターフェース１４を経て受信した正常復帰のための命令信号を受信して温度調整回路１５又は湿度調整回路１６に入力する。命令信号による温度調整回路１５および湿度調整回路１６の正常復帰動作は、第１の実施の形態と同様である。
【００６２】
（第２の実施の形態の効果）
第２の実施の形態に係る物理量遠隔管理システムによると、温度又は湿度が正常の範囲から外れたとき、センサーサーバ６１を再起動させてＤＨＣＰ機能により新規のＩＰアドレスを取得するとともに、取得したＩＰアドレスに基づいて温度監視情報を登録ユーザーの電子メールアドレスに送信するため、通信経費に関して、固定アドレスを使用するよりも低いコストで運用することができる。
【図面の簡単な説明】
【００６３】
【図１】本発明の第１の実施の形態に係る物理量遠隔管理システムを示すブロック図。
【図２】本発明の第１の実施の形態に係る物理量遠隔管理システムの、管理用のコンピュータの構成を示すブロック図。
【図３】本発明の第１の実施の形態に係る物理量遠隔管理システムの、管理用のコンピュータのメモリの構成を示すブロック図。
【図４】本発明の第１の実施の形態に係る物理量遠隔管理システムの、湿度調整器の構成を示すブロック図。
【図５】本発明の第２の実施の形態に係る物理量遠隔管理システムの構成を示すブロック図。
【図６】本発明の第２の実施の形態に係る物理量遠隔管理システムの、管理用のコンピュータの構成を示すブロック図。
【図７】本発明の第２の実施の形態に係る物理量遠隔管理システムの、管理用のコンピュータのメモリの構成を示すブロック図。
【図８】本発明の第２の実施の形態に係る物理量遠隔管理システムの、センサーサーバの構成を示すブロック図。
【図９】本発明の第２の実施の形態に係る物理量遠隔管理システムの、センサーサーバのメモリの構成を示すブロック図。
【図１０】従来の物理量遠隔管理システムを示すブロック図。
【図１１】従来の物理量遠隔管理システムの、管理用のコンピュータの構成を示すブロック図。
【図１２】従来の物理量遠隔管理システムの、管理用のコンピュータのメモリの構成を示すブロック図。
【符号の説明】
【００６４】
１…野菜栽培室  １ａ…サーバ室  ２…栽培管理センター  ３…インターネット通信システム  １０…管理システム  １１…温度センサー  １２…湿度センサー  １３…センサーサーバ  １３ａ…タイマー  １４…インターフェース  １５…温度調整回路  １６…湿度調整回路  １７…電熱ヒーター  １８…湿度調整器  ２１…コンピュータ  ２２…インターフェース  ２３…データベースサーバ  ３１…ＩＳＰ（プロバイダ）  ３２…インターネット通信網  ３３…ＩＳＰ（プロバイダ）  ３４…公衆電話局  ３５…アンテナ  ３６…携帯電話  ４１…中央演算装置  ４２…制御部  ４３…メモリ  ４４…表示部  ４５…入出力部  ４５ａ…入力端子  ４５ｂ…出力端子  ４５ｃ…キーボード  ４６…電源部  ５１…データ記録部  ５２…プログラム記憶部  ５２Ｕ…上限記憶部  ５２Ｌ…下限記憶部  ５２Ｖ…変動限度記憶部  ６０…管理システム  ６１…センサーサーバ  ６２…コンピュータ  ６３…メモリ  ６３Ａ…データ記録部  ６３Ｂ…プログラム記憶部  ６４…中央演算装置  ６５…制御部  ６６…メモリ  ６６Ａ…データ記録部  ６６Ｂ…プログラム記憶部  ６７…入出力部  ６８…電源部  ７１…作業室  ７２…サーバ室  ７３…温度センサー  ７４…温度調節装置  ７４ａ…ヒーター電力選択回路７５…センサーサーバ  ７６…インターフェース  ７７…広域通信網７７ａ…ＩＳＰ（プロバイダ）  ７７ｂ…ＩＳＰ（プロバイダ）  ８１…管理センター  ８２…インターフェース  ８３…管理端末  ８３ａ…キーボード  ８４…データベースサーバ  ９１…中央演算装置  ９２…制御部  ９３…メモリ  ９３Ａ…データ記憶部  ９３Ｂ…プログラム記憶部  ９３Ｕ…上限記憶部  ９３Ｌ…下限記憶部  ９３Ｖ…変動限度記憶部  ９４…表示部  ９５…入出力部  ９６…電源部
【図１】
2006040031.tif 000004
【図２】
2006040031.tif 000005
【図３】
2006040031.tif 000006
【図４】
2006040031.tif 000007
【図５】
2006040031.tif 000008
【図６】
2006040031.tif 000009
【図７】
2006040031.tif 000010
【図８】
2006040031.tif 000011
【図９】
2006040031.tif 000012
【図１０】
2006040031.tif 000013
【図１１】
2006040031.tif 000014
【図１２】
2006040031.tif 000015